(57)【要約】【課題】便器後部のスペースの設計自由度の向上を図ることができる水洗式便器を提供する。【解決手段】水洗式便器１は、便鉢部１０、上面部４７及びトラップ排水路２０を備えている。便鉢部１０は、その下流側にトラップ排水路２０が連通している。上面部４７は、便鉢部１０の後方に拡がるとともに、上下方向に貫通して便座装置（図示せず）が取り付けられる取付孔である貫通孔４９Ａが形成されている。トラップ排水路２０は導入流路２１及び上昇流路２３を有している。導入流路２１は、便鉢部１０の下流側に連通して下方かつ後方に延びて形成されている。上昇流路２３は、導入流路２１の下流端に連続して上方に延びて形成されている。そして、上昇流路２３の下流端の下端であるトラップ排水路２０の頂部Ｃは、一対の貫通孔４９Ａよりも前方に位置している。【選択図】図６
2020180469.tif 000002
【特許請求の範囲】
【請求項１】
便鉢部と、
前記便鉢部の後方に拡がるとともに、上下方向に貫通して便座装置が取り付けられる取付孔が形成された上面部と、
便鉢部の下流側に連通して下方かつ後方に延びて形成された導入流路、及び前記導入流路の下流端に連続して上方に延びて形成された上昇流路を有するトラップ排水路と、
を備えており、
前記上昇流路の下流端の下端である前記トラップ排水路の頂部は、前記取付孔よりも前方に位置している水洗式便器。
【請求項２】
前記上昇流路の傾斜角度は、前記導入流路の傾斜角度よりも大きくされている請求項１に記載の水洗式便器。
【請求項３】
前記トラップ排水路は、前記上昇流路の下端から前記頂部までの前後方向の距離が、前記導入流路の下端から前記導入流路の前端までの前後方向の距離と略同等、又は前記導入流路の下端から前記導入流路の前端までの前後方向の距離よりも小さくなる形態で形成されている請求項１又は請求項２に記載の水洗式便器。
【請求項４】
前記トラップ排水路は、前記導入流路の入口から前記上昇流路の途中位置までの領域の流路断面において、左右方向の大きさが前記左右方向に直交する方向の大きさよりも大きく形成されている請求項１から請求項３までのいずれか一項に記載の水洗式便器。
【請求項５】
前記トラップ排水路は、前記上昇流路の下流端に連続して下方に延びて形成される下降流路を有しており、
前記トラップ排水路は、前記下降流路の排出口が下方を向いて開口したＳトラップ、又は後方を向いて開口したＰトラップを形成可能である請求項１から請求項４までのいずれか一項に記載の水洗式便器。
【請求項６】
前記トラップ排水路は前記Ｓトラップを形成しており、
前記下降流路の排出口と、床面に引き出され、設置された際の前記便鉢部の下方に位置する排水管と連結する排水ソケットを備えている請求項５に記載の水洗式便器。
【請求項７】
前記トラップ排水路は、下端面が前記排水ソケットを収納できる高さである請求項６に記載の水洗式便器。
【請求項８】
前記トラップ排水路には、前記排水ソケットに対応する位置の前記下端面が露出する形態で開口して形成された凍結防止ヒータが取り付けられている請求項７に記載の水洗式便器。
【発明の詳細な説明】
【技術分野】
【０００１】
本発明は水洗式便器に関するものである。
【背景技術】
【０００２】
特許文献１は従来の水洗式便器を示している。この水洗式便器は、便鉢及び排水路を備えている。便鉢の後方には便座を取り付けるための一対の取付孔が形成されている。この取付孔は、便器前端からの距離や孔の間隔、径等が規格化されている。排水路は、上流側のトラップ部と下流側の接続配管とを有して便鉢の下端部に連続している。トラップ部は、便鉢の下端部から下方に延びる流路と、その下流側に連続して設けられて上方に延びる流路とを組み合わせた略Ｕ字状に形成されている。これにより、トラップ部には洗浄水が溜水として貯留され、下水側からの空気の流れ等を遮断する。溜水の高さは、トラップ部の上方に延びる流路の上昇端下面の高さによって決定される。
【先行技術文献】
【特許文献】
【０００３】
【特許文献１】特開２０１６−８９４３１号公報
【発明の概要】
【発明が解決しようとする課題】
【０００４】
ところで、水洗式便器の小型化を検討する場合、便器における便座取付孔よりも前方の長さは規格化されているため大きさを変更することは困難である。このため小型化を図るには、便器後部についての検討に限定されてしまう。しかしながら、特許文献１の水洗式便器のように、排水路が便鉢下端から水洗式便器の後端近くまで延びて設けられ、排水路によって便器後部のスペースが占められていると、便器後部の小型化を検討することも困難である。
【０００５】
本発明は、上記従来の実情に鑑みてなされたものであって、便器後部のスペースの設計自由度の向上を図ることができる水洗式便器を提供することを解決すべき課題としている。
【課題を解決するための手段】
【０００６】
本発明の水洗式便器は、
便鉢部と、
前記便鉢部の後方に拡がるとともに、上下方向に貫通して便座装置が取り付けられる一対の取付孔が形成された上面部と、
便鉢部の下流側に連通して下方かつ後方に延びて形成された導入流路、及び前記導入流路の下流端に連続して上方に延びて形成された上昇流路を有するトラップ排水路と、
を備えており、
前記上昇流路の下流端の下端である前記トラップ排水路の頂部は、前記取付孔よりも前方に位置している。
【０００７】
この水洗式便器は、上昇流路の下流端の下端であるトラップ排水路の頂部を、便座装置が取り付けられる一対の取付孔よりも前方に位置させている。すなわち、頂部を水洗式便器における前寄りの位置に設定している。これにより、トラップ排水路の前後方向の長さを抑えることができる。その結果、小型化の検討等、トラップ排水路の上昇流路よりも下流側の構成の設計の自由度を向上させることができる。
【０００８】
したがって、本発明の水洗式便器は、便器後部のスペースの設計自由度の向上を図ることができる。
【図面の簡単な説明】
【０００９】
【図１】実施例１に係る水洗式便器の平面図である。
【図２】実施例１に係る水洗式便器の左側面図である。
【図３】実施例１に係る水洗式便器を備えた便器装置を示す図であって、図１のＩＩＩ−ＩＩＩ線に相当する断面図である。
【図４】実施例１に係る水洗式便器の斜視断面図である。
【図５】実施例１に係る水洗式便器を示す図であって、図３のＶ−Ｖ線に相当する断面図である。
【図６】実施例１に係る水洗式便器の要部拡大断面図である。
【図７】図６のＶＩＩ−ＶＩＩ線断面における要部拡大図である。
【図８】図６のＶＩＩＩ−ＶＩＩＩ線断面図である。
【図９】図６のＩＸ−ＩＸ線断面における要部拡大図である。
【図１０】図６のＸ−Ｘ線断面図である。
【図１１】図６のＸＩ−ＸＩ線断面図である。
【図１２】実施例２に係る水洗式便器を示す側面断面図である。
【図１３】他の実施形態に係る水洗式便器を示す側面断面図である。
【発明を実施するための形態】
【００１０】
本発明における好ましい実施の形態を説明する。
【００１１】
本発明の水洗式便器において、上昇流路の傾斜角度は、導入流路の傾斜角度よりも大きくされ得る。この場合、トラップ排水路の前後方向の長さを抑えた水洗式便器を容易に実現することができる。
なお、上記「上昇流路の傾斜角度」、「導入流路の傾斜角度」は、上昇流路又は導入流路が湾曲して形成されている場合には、平均的に見た流路全体としての傾斜角度であることができる。また、流路に直線状の部位がある場合には、その直線状の部分のみの傾斜角度をそのまま流路の傾斜角度としてもよい。
【００１２】
本発明の水洗式便器において、トラップ排水路は、上昇流路の下端からトラップ排水路の頂部までの前後方向の距離が、導入流路の下端から導入流路の前端までの前後方向の距離と略同等、又は導入流路の下端から導入流路の前端までの前後方向の距離よりも小さくなる形態で形成され得る。この場合、より容易に小型化を図ることができる。
【００１３】
本発明の水洗式便器において、トラップ排水路は、導入流路の入口から上昇流路の途中位置までの領域の流路断面において、左右方向の大きさが左右方向に直交する方向の大きさよりも大きく形成され得る。この場合、トラップ排水路の前後方向の大きさのみならず、上下方向の大きさも抑えた水洗式便器を容易に実現することができる。
なお、上記「上昇流路の途中位置」とは、例えば、溜水面よりも下方の位置であることができる。また、上記「左右方向の大きさ」は、左右幅の最も大きい部分における大きさ、上記「左右方向に直交する方向の大きさ」は、左右方向の中心位置における直交方向の大きさをそれぞれ意図している。
【００１４】
本発明の水洗式便器において、トラップ排水路は、上昇流路の下流端に連続して下方に延びて形成される下降流路を有し得る。そして、トラップ排水路は、下降流路の排出口が下方を向いて開口したＳトラップ、又は後方を向いて開口したＰトラップを形成し得る。この場合、前部の形状を同じにしてＳトラップ又はＰトラップを形成した場合であっても、設置した際の後方壁面から便器前端までの長さを抑えた水洗式便器を実現することができる。
【００１５】
本発明の水洗式便器において、トラップ排水路がＳトラップを形成しており、下降流路の排出口と、床面に引き出され、設置された際の前記便鉢部の下方に位置する排水管と連結する排水ソケットを備え得る。この場合、後方の壁から排水管の中心までの距離が遠く、排水管が便鉢の下方に位置する場合であっても、壁寄りの適切な位置に設置することができる。
【００１６】
本発明の水洗式便器において、トラップ排水路は、下端面が排水ソケットを収納できる高さであり得る。この場合、床排水用の排水ソケットを無理なく配置することができる。
【００１７】
本発明の水洗式便器において、トラップ排水路には、排水ソケットに対応する位置の下端面が露出する形態で開口して形成された凍結防止ヒータが取り付けられ得る。この場合、下端面を覆うようなヒータが取り付けられるトラップ排水路と比較して、トラップ排水路の下端面の位置をより床面に近づけて形成することができる。
【００１８】
次に、本発明の水洗式便器を具体化した実施例１及び２について、図面を参照しつつ説明する。なお、以下の説明において、上下の方向は水洗式便器を設置した状態における上下（図２、図３、図６、図８、図１０〜図１２の上下の方向）であり、前後の方向は、便鉢部が形成されている側が前、トラップ排水路が形成されている側が後（図２及び図３では、右方が前方、左方が後方）であり、左右の方向は、水洗式便器を設置した状態で、水洗式便器の前方（便鉢部側）から見た左右（図１、図５の左右）である。
【００１９】
＜実施例１＞
実施例１の水洗式便器１は洗い落とし式の便器である。水洗式便器１は、図１〜図４に示すように、便鉢部１０、トラップ排水路２０、周壁部３０、導水部４０、及びタンク設置部５０を備えている。
【００２０】
便鉢部１０は、汚物を受けるとともに汚物を洗浄する洗浄水が流通する。図１、図３及び図４に示すように、便鉢部１０は、上壁部１１、中間壁部１５、下壁部１７、及び底壁部１９を有している。上壁部１１は便鉢部１０の上部周縁を形成している。この上壁部１１は、上下方向に立ち上がった帯状であり、上方に向けて僅かに外側に傾斜している。また、上壁部１１の上端周縁は上方から見た平面視で略楕円形状である。上壁部１１は、後側の左右中央よりも左側に横方向を長手方向とする形態の吐水口１１Ａが形成されている。吐水口１１Ａは、導水部４０から供給される洗浄水を便鉢部１０内に吐水する。
【００２１】
中間壁部１５は、図１、図３及び図４に示すように、上壁部１１より下方において、便鉢部１０の前後面及び左右側面を形成している。すなわち、中間壁部１５は、上壁部１１の前後側及び左右側の下端から内側に向かって緩やかに下方に傾斜して拡がっている。
【００２２】
下壁部１７及び底壁部１９は便鉢部１０の下部に凹部１３を形成する。下壁部１７は、図１、図３及び図４に示すように、中間壁部１５より内側且つ下側において、便鉢部１０の前後面及び左右側面を形成している。下壁部１７は、上下方向に立ち上がった筒状であり、中間壁部１５の下端から下方に向けて僅かに内側に傾斜している。底壁部１９は、図３に示すように、下壁部１７の内側且つ下側において、便鉢部１０の底面を形成している。底壁部１９は、下壁部１７の下端から内側に向けて僅かに下側に傾斜している。底壁部１９は後部にトラップ排水路２０の流入部Ｘが形成されている。図３に示すように、水洗式便器１において、溜水面Ｒは、底壁部１９の上面よりも上方に形成される。
【００２３】
トラップ排水路２０は便鉢部１０の下流側に連通して形成されている。トラップ排水路２０は便鉢部１０の下部に溜水を形成するために設けられている。便鉢部１０内の溜水面Ｒの高さは、トラップ排水路２０の頂部Ｃの高さで決定される。トラップ排水路２０は便鉢部１０よりも後方に延びている。図３〜図１１に示すように、トラップ排水路２０は、導入流路２１、上昇流路２３、第１下降流路２５、及び第２下降流路２７を有している。トラップ排水路２０は、第２下降流路２７の排出口２７Ａが下方を向いて開口したＳトラップを形成している。トラップ排水路２０の下流側端部には後述する排水ソケット７０が接続される。
【００２４】
導入流路２１は、便鉢部１０の底壁部１９に形成されたトラップ排水路２０の流入部Ｘに上流端が連続している。すなわち、トラップ排水路２０は便鉢部１０の下流側に連通している。導入流路２１は、便鉢部１０の下端後部から下方に延びており、下流に向けて後方に湾曲している。図３、図４、図６及び図８に示すように、導入流路２１の下流端は水平方向を向いて後方に向かって開口している。この導入流路２１の下流端の下端Ａはトラップ排水路２０における最下端である。また、導入流路２１の上流端の前端Ｂは流入部Ｘの前端であり、トラップ排水路２０の最前端である。また、導入流路２１の上流端は流入部Ｘであり、この流入部Ｘの前端は導入流路２１の前端Ｂである。
【００２５】
上昇流路２３は導入流路２１の下流端の開口に連続している。すなわち、この上昇流路２３の上流端の下端は導入流路２１の下流端の下端Ａである。上昇流路２３は上方に向けて斜め後方に傾斜している。上昇流路２３の下流端は水平方向を向いて後方に向かって開口している。上昇流路２３の下流端の下端は、トラップ排水路２０における頂部Ｃである。図１０及び図１１に示すように、頂部Ｃは、左右方向に略水平に延びている。
【００２６】
図６に示すように、本実施例において、上昇流路２３の傾斜角度θ２は、導入流路２１の傾斜角度θ１よりも大きくされている。具体的には、上昇流路２３の水平面に対する傾斜角度θ２は７０°程度であり、導入流路２１の水平面に対する傾斜角度θ１は６０°程度である。このように、本実施例では、導入流路２１の傾斜角度θ１及び上昇流路２３の傾斜角度θ２のいずれも４５°以上の大きさとしている。
なお、本実施例の場合、傾斜角度θ１，θ２は、導入流路２１及び上昇流路２３の直線状の部位の傾斜角度である。傾斜角度θ１，θ２は、導入流路又は上昇流路が湾曲して形成されている場合には、湾曲部位を平均的に見て、湾曲部位全体としての傾斜角度としてもよい。
【００２７】
また、図７〜図１１に示すように、本実施例において、トラップ排水路２０は、導入流路２１の入口である流入部Ｘから、上昇流路２３の下流端である頂部Ｃまでの領域の流路断面において、左右方向の大きさが左右方向の直交方向の大きさよりも大きく形成されている。このように、流路の左右方向の大きさを左右方向の直交方向の大きさよりも大きくしたことで、トラップ排水路２０の流路面積を確保しつつ、トラップ排水路２０の前後方向の大きさが抑えられている。
なお、本実施例では、上昇流路２３の途中位置としての溜水面Ｒよりも下方の領域から、上昇流路２３の下流端である頂部Ｃまでの領域の流路断面においても、左右方向の大きさが左右方向の直交方向の大きさよりも大きく形成している。この上昇流路の下流端近傍の領域や、導入流路の下流端（上昇流路の上流端）近傍の領域については、左右方向に直交する方向の大きさを左右方向よりも大きく形成してもよい。これらの領域の流路断面は、左右方向の大きさよりも左右方向に直交する方向の大きさを大きくしたとしても、トラップ排水路の前後方向の大きさに与える影響は小さい。また、これらの領域の流路断面の左右方向に直交する方向の大きさを左右方向の大きさよりも小さくすることで、トラップ排水路の上下方向の大きさを抑制することに寄与できる。
【００２８】
図３〜図５に示すように、第１下降流路２５は上昇流路２３の下流端の開口に連続している。すなわち、第１下降流路２５の上流端の下端は上昇流路２３の下流端の下端であり、トラップ排水路２０の頂部Ｃである。第１下降流路２５は略矩形状の断面形状を有する流路である。第１下降流路２５は後方に向けて延びている。第１下降流路２５は、内面の下面、すなわち底面２５Ａが、下流側（後方）に向けて僅かに下方に傾斜している。図３〜図５に示すように、第１下降流路２５の底面２５Ａは平坦な傾斜面で形成されている。詳細には、底面２５Ａは、図１０及び図１１に示すように、左右方向には略水平であり、また、図３及び図４に示すように、前後方向は略一定の勾配で後方に向かうにつれて下方に傾斜する平面状に形成されている。
【００２９】
第１下降流路２５の下流側端部は、後方に向けて閉鎖されている。図５に示すように、第１下降流路２５は、その内面の側面が上流端から下流側に向かって略一定の幅Ｗで形成されている。また、図３に示すように、第１下降流路２５の内面の上面２５Ｂは、後方に向けて略一定の高さで延びている。すなわち、第１下降流路２５は、上流端から下流側に向かって上下幅が徐々に大きくなる形態で形成されている。
【００３０】
図３〜図５及び図１１に示すように、第２下降流路２７は略円形状の断面形状を有する流路である。第２下降流路２７は第１下降流路２５の底面２５Ａの下流側端部に開口している。第２下降流路２７は鉛直方向に延びており、その下流端は下方に向けて開口している。第２下降流路２７の下流側端部には後述する排水ソケット７０が接続される。
【００３１】
図５に示すように、第１下降流路２５の底面２５Ａにおける第２下降流路２７の開口径Ｄは、底面２５Ａの幅方向の大きさよりも小さい。換言すると、第１下降流路２５の底面２５Ａの幅Ｗは、第２下降流路２７の開口径Ｄよりも大きい。また、第１下降流路２５の流路面積は、第２下降流路２７の流路面積よりも大きい。
また、第２下降流路２７の開口径Ｄは、第２下降流路２７の開口前端から第１下降流路２５の底面２５Ａ前端まで（頂部Ｃまで）の前後の距離よりも小さい。換言すると、第１下降流路２５の底面２５Ａの長さＬは、第２下降流路２７の開口径Ｄよりも大きい。
【００３２】
図３に示すように、トラップ排水路２０には凍結防止用のヒータＨ１が取り付けられている。ヒータＨ１は、通電により発熱するニクロム線とアルミシートからなる発熱体により構成されている。ヒータＨ１は上下に開口するテーパ筒状をなしており、導入流路２１の前側外周面と、上昇流路２３の後ろ側外周面とを巻き回すようにして取り付けられている。ヒータＨ１は、後述する排水ソケット７０に対応する位置におけるトラップ排水路２０の下端面２０Ａが露出する形態でトラップ排水路２０に取り付けられている。なお、ヒータＨ１の外周面は耐火機能を有する緩衝材Ｈ２により覆われており、緩衝材Ｈ２の外周面及びトラップ排水路２０の下端面２０Ａは、断熱機能を有する防露材Ｈ３により覆われている。緩衝材Ｈ２は、ヒータＨ１と同様に、上下に開口するテーパ筒状をなしている。このため、トラップ排水路２０の下端面２０Ａは、トラップ排水路２０の最も外側を覆う防露材Ｈ３の内面に臨む形態とされている。
【００３３】
図３に示すように、トラップ排水路２０は、水洗式便器１の左右方向の中心断面の形状において、導入流路２１の下端Ａ（上昇流路２３の上流端の下端）から頂部Ｃまでの前後方向の距離が、導入流路２１の下端Ａから前端Ｂまでの前後方向の距離と略同等となる形態で形成されている。
【００３４】
周壁部３０は、図２に示すように、便鉢部１０及びトラップ排水路２０の周囲に連なって設けられている。便鉢部１０及びトラップ排水路２０の下方の空間は、この周壁部３０によって外部から視認不能に隠蔽されている。周壁部３０は、便鉢部１０の前方及び側方を囲む前部３１と、トラップ排水路２０の側方下部及び後方を囲む後部３２と、を有している。前部３１及び後部３２は、設置された際に床面Ｆとの当接面となる下端面から上方に立ち上がって形成されている。前部３１の上端は便鉢部１０の上端まで延びている。図７〜図１１に示すように、後部３２は、側部上端がトラップ排水路２０の外側壁面に側方から突き当てられて接続されている。後部３２の側部上端は、トラップ排水路２０の導入流路２１においては、図２に示すように、側面視における導入流路２１の上流端から下流端まで湾曲して形成されている。また、後部３２の側部上端は、トラップ排水路２０の上昇流路２３においては、図２に示すように、側面視における上昇流路２３の上流端から下流端まで、上昇流路２３の傾斜よりも緩やかに傾斜する形態で上昇して延びている。更に、後部３２の側部上端は、トラップ排水路２０の第１下降流路２５においては、図２に示すように、側面視における第１下降流路２５の上流端から後方へ、略水平に延びている。
【００３５】
導水部４０は、図１〜図４に示すように、便鉢部１０の後方であってトラップ排水路２０の上方に形成されている。導水部４０は、便鉢部１０の上壁部１１の後部、底面部４１、左右面部４３、後面部４５、及び上面部４７に囲まれて形成されている。導水部４０には洗浄水が流通する。導水部４０は吐水口１１Ａに連通しており、便器洗浄が実行された際に、吐水口１１Ａを介して便鉢部１０内に洗浄水を供給する。
【００３６】
底面部４１は、図３及び図４に示すように、便鉢部１０の上壁部１１の後部の下端に連続して後方に拡がっている。底面部４１の上面が導水部４０の下面４０Ａを形成している。底面部４１は、上方から見た平面視において、中央前端縁、左右前端縁、左右両端縁、及び後端縁を有している。中央前端縁は便鉢部１０の上端部の後部に沿って湾曲している。左右前端縁は中央前端縁の両端のそれぞれから左右の外方向に向けて後方に傾斜している。左右両端縁は、左右前端縁のそれぞれの外側の端部から後方に向けて平行に延びている。後端縁は左右両端縁のそれぞれの後端を直線状に延びて連結している。底面部４１は左右両端縁から左右中央部４１Ａに向けて下り傾斜した平板状である。すなわち、導水部４０の下面４０Ａは左右両端縁から左右中央部４１Ａに向けて下り傾斜している。また、底面部４１は左右中央部４１Ａが前方に向けて僅かに下り傾斜している。すなわち、導水部４０の下面４０Ａの左右中央部４１Ａは前方に向けて下り傾斜している。
【００３７】
左右面部４３は、図１及び図３に示すように、底面部４１の左右前端縁及び左右両端縁から上下方向に立ち上がっており、上方に向けて僅かに外側に拡がっている。また、左右面部４３は便鉢部１０の上壁部１１とほぼ同じ高さを有している。左右面部４３の前端部は、便鉢部１０の左右端よりも左右方向に拡がっている。後面部４５は、底面部４１の後端縁から上下方向に略垂直に立ち上がっている。後面部４５は左右中央部に図示しない洗浄タンクの流出口に接続された分配菅が挿通される挿通孔４５Ａが形成されている。上面部４７は、上方から見た平面視において、底面部４１とほぼ同じ形状である。上面部４７は、導水部４０の上方を塞ぐように、便鉢部１０の上壁部１１の後部、左右面部４３、及び後面部４５のそれぞれの上端縁に連続している。上面部４７は、便鉢部１０の後方に拡がって形成されている。具体的には、上面部４７は、水洗式便器１を設置した状態で、上面が便鉢部１０の後方へ水平に拡がるように形成されている。
【００３８】
図１〜図３に示すように、導水部４０には一対の円筒部４９が設けられている。一対の円筒部４９は、上面部４７と底面部４１とを連結する形態で鉛直方向に延びて形成されている。一対の円筒部４９は左右中央を対称にした位置に設けられている。一対の円筒部４９には、上面部４７の上面及び底面部４１の下面に貫通する貫通孔４９Ａがそれぞれ形成されている。一対の貫通孔４９Ａは所定の間隔を有している。一対の貫通孔４９Ａは上面部４７上に配置される便座装置を固定するための取付孔である。一対の貫通孔４９Ａは、水洗式便器１の前端からの距離が、日本工業規格（ＪＩＳ）で定められた約４７０ｍｍとされている。
【００３９】
図３に示すように、一対の貫通孔４９Ａは、トラップ排水路２０の頂部Ｃよりも後方に位置している。換言すると、トラップ排水路２０は、上昇流路２３の下流端の下端であるトラップ排水路２０の頂部Ｃが、便座装置（図示せず）を固定するための一対の貫通孔４９Ａよりも前方に位置する形態で形成されている。より詳細には、図３に示すように、頂部Ｃは、前後方向において、一対の貫通孔４９Ａと、便鉢部１０の上壁部１１後端との間に位置している。
【００４０】
タンク設置部５０は水洗式便器１の後部上面に設けられている。タンク設置部５０には洗浄水が貯留される図示しない洗浄タンクが設置される。タンク設置部５０は凹状に窪んで形成されている。タンク設置部５０には、洗浄タンクの流出口に接続された分配管が後面部４５の挿通孔４５Ａに挿通されて配置される。
【００４１】
導水部４０は、水抜き通路６０によってトラップ排水路２０に連通している。具体的には、水抜き通路６０は、図１及び図３に示すように、導水部４０の下面４０Ａ（導水部４０を形成する底面部４１の上面）に開口する流入口６１から、便鉢部１０の溜水面Ｒより下方であって、トラップ排水路２０の導入流路２１の上部に開口する流出口６３まで連なって形成されている。水抜き通路６０は、導水部４０内の洗浄水を、便鉢部１０を介さずに、トラップ排水路２０内に直接流出させる。水抜き通路６０は、洗浄水を導水部４０から排出するにあたり、便鉢洗浄終盤になって洗浄水の勢いがある程度弱くなった場合に便鉢部１０に流出させないようにする。これにより、便鉢部１０の表面を僅かな流量の洗浄水が流下することによって形成される筋状の水垢が生じるのを抑制する。
【００４２】
図３に示すように、第２下降流路２７の下端部には排水ソケット７０が接続される。排水ソケット７０は、周壁部３０の内側空間に配置され、外部から視認不能とされる。排水ソケット７０は、第２下降流路２７の排出口２７Ａと、床面Ｆに引き出され、設置状態における便鉢部１０の下方に位置する排水管Ｐとを連結している。上述のように、トラップ排水路２０の下端面２０Ａは排水ソケット７０を収納できる高さで形成されている。排水ソケット７０は、このように形成されたトラップ排水路２０の下方を通過して前方に延びている。
【００４３】
図３に示すように、排水ソケット７０は、パッキン７１と、流入管部７２と、流出管部７３とを有している。パッキン７１は、第２下降流路２７の下端部が上方から嵌め込まれ、第２下降流路２７の外周面を水密に封止する。流入管部７２は、一端が上方に開口してパッキン７１の下端に連結されている。流入管部７２の他端には、床面Ｆに沿って前方に略水平に延びる水平部７２Ａが設けられている。流出管部７３は、一端が後方に開口して流入管部７２の水平部７２Ａが差し込まれており、他端が下方に延びて床面Ｆの排水管Ｐに差し込まれている。流入管部７２の水平部７２Ａは一様な断面形状を有しており、所望の長さに切断して流出管部７３に差し込んで連結することができる。排水ソケット７０は、流入管部７２の水平部７２Ａの長さを調整することによって、便器側の第２下降流路２７と床面Ｆ側の排水管Ｐとの距離に対応させることができるようにされている。
【００４４】
次に、水洗式便器１の設置作業について説明する。最初に、排水ソケット７０を床面Ｆに引き出されている排水管Ｐに接続する（図３参照）。具体的には、床面Ｆの排水管Ｐに排水ソケット７０の流出管部７３を嵌合して固定する。このとき、排水ソケット７０のパッキン７１の開口中心が水洗式便器１後方の壁面Ｙから所定の位置（壁面Ｙから約１６０ｍｍ）に配置されるように、水平部７２Ａの長さを調整する。そして、水洗式便器１の第２下降流路２７を、排水ソケット７０のパッキン７１に接続する。具体的には、水洗式便器１を持ち上げておき、パッキン７１の上方から第２下降流路２７を差し込んで接続するように、水洗式便器１を床面Ｆに載置する。
なお、排水ソケット７０は、水洗式便器１の後方の壁面Ｙから排水管Ｐの中心まで距離（排水芯）が、２００ｍｍ〜５５０ｍｍ程度まで対応可能である。水洗式便器１は、現在のように排水芯２００ｍｍで統一される以前に設置された既存の便器と交換して用いる便器として好適である。
【００４５】
このような構成を有する水洗式便器１は、便器洗浄を実行した際には、洗浄水が導水部４０から便鉢部１０を経てトラップ排水路２０内に流入する。トラップ排水路２０において、洗浄水は、導入流路２１を下降し、上昇流路２３を上昇しつつ汚物を押し流して第１下降流路２５、第２下降流路２７の順に流下する。第２下降流路２７の排出口２７Ａには、床面Ｆの排水管Ｐと連通する排水ソケット７０が接続されており、この排水ソケット７０を介して洗浄水が排水管Ｐに排出される。
【００４６】
以上説明したように、実施例１の水洗式便器１は、便鉢部１０、上面部４７及びトラップ排水路２０を備えている。便鉢部１０は、その下流側にトラップ排水路２０が連通している。上面部４７は、便鉢部１０の後方に拡がるとともに、上下方向に貫通して便座装置（図示せず）が取り付けられる一対の取付孔である一対の貫通孔４９Ａが形成されている。トラップ排水路２０は導入流路２１及び上昇流路２３を有している。導入流路２１は、便鉢部１０の下流側に連通して下方に延びて形成されている。上昇流路２３は、導入流路２１の下流端に連続して上方に延びて形成されている。そして、上昇流路２３の下流端の下端であるトラップ排水路２０の頂部Ｃは、一対の貫通孔４９Ａよりも前方に位置している。
【００４７】
このように、水洗式便器１は、トラップ排水路２０の頂部Ｃを便座装置の取付孔である一対の貫通孔４９Ａよりも前方に位置させている。すなわち、頂部Ｃを水洗式便器１における前寄りの位置に設定している。これにより、トラップ排水路２０の前後方向の長さを抑えることができる。その結果、トラップ排水路の上昇流路よりも下流側の構成の設計の自由度を向上させることができる。
【００４８】
したがって、実施例１の水洗式便器１は、便器後部のスペースの設計自由度の向上を図ることができる。
【００４９】
また、上昇流路２３の傾斜角度θ２は、導入流路２１の傾斜角度θ１よりも大きくされている。このため、トラップ排水路２０の前後方向の長さを抑えた水洗式便器１を容易に実現することができる。
【００５０】
また、トラップ排水路２０は、導入流路２１の下端Ａから頂部Ｃまでの前後方向の距離が、導入流路２１の下端Ａから前端Ｂまでの前後方向の距離と略同等となる形態で形成されている。このようにしたことで、トラップ排水路２０は、上昇流路２３の上昇勾配がより大きくされている。これにより、水洗式便器１は、トラップ排水路２０の頂部Ｃの位置が前方寄りに設定される。その結果、水洗式便器１は、トラップ排水路２０の前後方向の大きさが抑えられ、トラップ排水路２０の上昇流路２３よりも下流側における設計自由度の向上が図られている。したがって、水洗式便器１は、より容易に小型化を図ることができる。
なお、トラップ排水路は、導入流路の下端（上昇流路の上流端の下端）から頂部までの前後方向の距離が、導入流路の下端から前端までの前後方向の距離よりも小さくなる形態で形成されていてもよい。この場合、トラップ排水路の前後方向の大きさをより抑えることができる。
【００５１】
また、トラップ排水路２０は、導入流路２１の入口である流入部Ｘから、上昇流路２３の溜水面Ｒよりも下方の位置を含む頂部Ｃまでの領域の流路断面において、左右方向の大きさが左右方向に直交する方向の大きさよりも大きく形成されている。このため、トラップ排水路の前後方向の大きさのみならず、上下方向の大きさも抑えた水洗式便器を容易に実現することができる。
【００５２】
また、トラップ排水路２０は、上昇流路２３の下流端に連続して下方に延びて形成される下降流路としての第１及び第２下降流路２５，２７を有している。トラップ排水路２０は、第２下降流路２７の排出口２７Ａが下方を向いて開口してＳトラップを形成している。水洗式便器１は、この第２下降流路２７の排出口２７Ａと、床面Ｆに引き出され、設置された際の便鉢部１０の下方に位置する排水管Ｐと連結する排水ソケット７０を備えている。このように、便鉢部の下方に排水管が位置するような、水洗式便器の後方の壁から排水芯までの距離が遠い場合であっても、水洗式便器を壁寄りの適切な位置に設置することができる。
【００５３】
また、トラップ排水路２０は、下端面２０Ａが排水ソケット７０を収納できる高さである。このため、水洗式便器１後部の第２下降流路２７と、水洗式便器１の前部である便鉢部１０の下方に位置する排水管Ｐとを接続する排水ソケット７０を、無理なく配置することができる。
【００５４】
また、トラップ排水路２０には、トラップ排水路２０の排水ソケット７０に対応する位置の下端面２０Ａが露出する形態で開口して形成された凍結防止用のヒータＨ１が取り付けられている。このため、下端面を覆うようなヒータが取り付けられるトラップ排水路と比較して、トラップ排水路２０の下端面２０Ａの位置をより床面Ｆに近づけて形成することができる。
【００５５】
また、トラップ排水路２０は、頂部Ｃが、前後方向において一対の貫通孔４９Ａと便鉢部１０の上壁部１１後端との間に位置している。これにより、便鉢部１０の鉢面形状に影響を及ぼすことなく便器後部の設計自由度を向上させることができ、容易に小型化を図ることができる。例えば、図３における頂部Ｃが便鉢部１０の上壁部１１後端より前方に位置した場合、トラップ排水路２０の上昇流路２３が便鉢部１０の中間壁部１５及び下壁部１７の後部に干渉してしまう。この場合、便鉢部１０後部の傾斜角度に影響を及ぼしてしまったり、上昇流路２３の流路面積を十分に確保できなかったりしてしまう。しかし、頂部Ｃが便鉢部１０の上壁部１１後端よりも後方に位置することで、便鉢部１０の鉢面形状に影響を及ぼしたり、十分な流路面積を確保できなかったりすることなく小型化を図ることができる。
【００５６】
＜実施例２＞
次に、図１２等を参照し、実施例２について説明する。
図１２に示す実施例２の水洗式便器２０１は、便鉢部１０、導入流路２１、及び上昇流路２３の形状が実施例１の水洗式便器１と同じである。換言すると、水洗式便器２０１は、トラップ排水路２２０の頂部Ｃよりも前方の形状が実施例１の水洗式便器１と同じである。また、水洗式便器２０１は、実施例１と同様の上面部４７を備えており、トラップ排水路２２０の頂部Ｃは一対の貫通孔４９Ａよりも前方に位置している。しかし、水洗式便器２０１は、実施例１の第１下降流路２５及び第２下降流路２７に替えて、上昇流路２３の下流端に連なる下降流路２２９を有するトラップ排水路２２０を備えている点で実施例１と相違する。その他の構成において、実施例１と同一の構成には同一の符号を付し、詳細な説明を省略する。
【００５７】
図１２に示すように、下降流路２２９は、上昇流路２３の下流端に連なり湾曲しつつ下降している。下降流路２２９の下流端である排出口２２９Ａは、後方斜め下方を向いて開口している。すなわち、水洗式便器２０１は、トラップ排水路２２０が、下降流路２２９の排出口２２９Ａが後方斜め下方を向いて開口したＰトラップを形成している。トラップ排水路２２０の下流端は、水洗式便器２０１の後方の壁面Ｙから前方斜め上方に突出して設けられた床上排水管Ｐ２に接続される。
【００５８】
床上排水管Ｐ２は、その長さや高さ、傾斜角度等が規格により定められている。具体的には、床上排水管Ｐ２は、床面Ｆから高さ１４８ｍｍの位置において前方に水平に突出するとともに、その前端部が水平面に対して約１０度の角度をなして斜め上方に延びている。床上排水管Ｐ２の壁面Ｙからの長さは、約１７５ｍｍであり、傾斜して延びる前端部の床面Ｆからの高さは約１７０ｍｍである。
【００５９】
水洗式便器２０１を床上排水管Ｐ２に接続するには、水洗式便器２０１をやや上方に持ち上げつつ、下降流路２２９の排出口２２９Ａを床上排水管Ｐ２の先端に差し込んで接続し、水洗式便器２０１を床面Ｆに載置する。このようにして設置した水洗式便器２０１は、前端から後方壁面Ｙまでの距離が上述の実施例１の水洗式便器１と同等の距離で設置することができる。
【００６０】
このように、水洗式便器２０１は、実施例１と同様に、トラップ排水路２２０のトラップ排水路２２０の頂部Ｃを便座装置の取付孔である一対の貫通孔４９Ａよりも前方に位置させている。その一方、水洗式便器２０１は、上昇流路２３よりも下流側の構成を実施例１の水洗式便器１とは異なる構成として床上排水管Ｐ２への接続を実現しつつ、水洗式便器２０１の後方壁面Ｙから前端までの距離を実施例１の水洗式便器１と同様の距離とすることを実現している。すなわち、実施例１の水洗式便器１及び実施例２の水洗式便器２０１は、頂部Ｃを一対の貫通孔４９Ａよりも前方に配置したことにより、頂部Ｃよりも前部の構成は共通化しつつ頂部Ｃよりも下流側の構成は設計の自由度が確保されているため、Ｓトラップ又はＰトラップをそれぞれ構成することが可能となっている。
【００６１】
また、水洗式便器２０１は、トラップ排水路２２０が、導入流路２１の下端Ａから前端Ｂまでの前後方向の距離よりも、導入流路２１の下端Ａから頂部Ｃまでの前後方向の距離のほうが小さく形成されている。このように、トラップ排水路２２０の頂部Ｃをより前寄りの位置に設定したことにより、より容易に小型化を図ることができる。
【００６２】
また、トラップ排水路２２０は、上昇流路２３の下流端に連続して後方斜め下方に延びて形成された下降流路２２９を有している。トラップ排水路２２０は、下降流路２２９の排出口２２９Ａが後方を向いて開口してＰトラップを形成している。水洗式便器２０１は、この下降流路２２９の排出口２２９Ａと、後方壁面Ｙから突出して設けられた床上排水管Ｐ２とが接続される。このように、水洗式便器２０１は、床上排水管Ｐ２に接続して後方壁面Ｙから適切な位置に設置することができる。
【００６３】
本発明は上記記述及び図面によって説明した実施例に限定されるものではなく、例えば次のような実施例も本発明の技術的範囲に含まれる。
（１）実施例１及び２では、洗い落とし式の水洗式便器を例示したが、本発明に係る水洗式便器はサイフォン式であってもよい。また、本発明に係る水洗式便器は、床置き便器に限定されず、壁掛け便器であってもよい。
（２）実施例１及び２では、洗浄タンクが設置されるタンク設置部を備える形態を例示したが、本発明に係る水洗式便器において、タンク設置部を備えることは必須ではない。すなわち、本発明に係る水洗式便器は、フラッシュバルブや開閉弁等の開閉により給水配管から直接的に洗浄水が供給される構成等、いわゆるタンクレス式であってもよく、この場合、タンク設置部は必須ではない。
（３）実施例１及び２では、特定構成の導水部を備える形態を例示したが、導水部の構成は実施例１又は２の構成に限定されない。
（４）実施例１及び２では、水抜き通路を備える形態を例示したが、本発明に係る水洗式便器において、水抜き通路は必須の構成ではない。
（５）実施例１及び２では、周壁部を備える形態を例示したが、本発明に係る水洗式便器において周壁部は必須の構成ではない。周壁部を備える場合には、実施例１又は２の形態に限定されず、例えば、水洗式便器の上端まで全体的に覆う形態等の他の形態であってもよい。
（６）実施例１及び２では、第１下降流路の底面の幅が第２下降流路の開口径よりも大きく形成されている形態を例示したが、これは必須ではない。本発明に係る水洗式便器は、第１下降流路の底面の幅と第２下降流路の開口径とが略同等の大きさで形成されていてもよい。
（７）実施例１及び２では、第１下降流路の底面の長さが第２下降流路の開口径よりも大きく形成されている形態を例示したが、これは必須ではない。本発明に係る水洗式便器は、第１下降流路の底面の長さが第２下降流路の開口径よりも小さく形成されていてもよいし、第１下降流路の底面の長さと第２下降流路の開口径とが略同等の大きさで形成されていてもよい。
（８）実施例１では、下降流路の排出口と、床面に引き出され、設置された際の便鉢部の下方に位置する排水管と連結する排水ソケットを備えている形態を例示したが、排水ソケットを備える場合、その形態は実施例１の形態に限定されない。例えば、図１３に示すように、水洗式便器３０１が設置された際に下降流路（第２下降流路２７）の下方に位置する排水管Ｐ３と下降流路の排出口（第２下降流路２７の排出口２７Ａ）とを連結する排水ソケット３７０等、他の形態の排水ソケットであってもよい。
【符号の説明】
【００６４】
１，２０１，３０１…水洗式便器
１０…便鉢部
２０，２２０…トラップ排水路
２０Ａ…トラップ排水路の下端面
２１…導入流路
２３…上昇流路
２５，２７，２２９…下降流路（２５…第１下降流路、２７…第２下降流路）
２７Ａ，２２９Ａ…下降流路の排出口
４７…上面部
４９Ａ…貫通孔（便座装置の取付孔）
７０，３７０…排水ソケット
Ａ…導入流路の下端
Ｂ…導入流路の前端
Ｃ…トラップ排水路の頂部
Ｆ…床面
Ｈ１…ヒータ
Ｐ，Ｐ３…排水管
【図１】
2020180469.tif 000003
【図２】
2020180469.tif 000004
【図３】
2020180469.tif 000005
【図４】
2020180469.tif 000006
【図５】
2020180469.tif 000007
【図６】
2020180469.tif 000008
【図７】
2020180469.tif 000009
【図８】
2020180469.tif 000010
【図９】
2020180469.tif 000011
【図１０】
2020180469.tif 000012
【図１１】
2020180469.tif 000013
【図１２】
2020180469.tif 000014
【図１３】
2020180469.tif 000015